(57)【要約】      （修正有）【課題】潜在的な過剰圧力状態を、樽に損傷を引き起こすほど十分には高くならないようにする方法を提供する。【解決手段】ビア樽組付体が、本体部分４２及びネック４６部分を有するライナー１４又はボトルを含む。弁組付体１８がライナーのネック部分の中にある。弁組付体は、直径が低減された一部分に形成された内側環状面を有する内側保持具部分を含む。キャップが内側保持具部分に固定される。少なくとも一つのばねが、キャップと内側環状面との間に力を及ぼす。少なくとも一つのばねは、ピストン及びポートを互いに当接し合うように付勢する内側ばねを含む。少なくとも一つのばねは外側ばねをさらに含み、内側ばね及び外側ばねは双方とも内側環状面とキャップとの間に捕捉される。圧力逃がし弁が、内側保持具部分の壁を通るように導かれる流路の中に配置される。【選択図】図１
2016008089.tif 000002
【特許請求の範囲】
【請求項１】
ビア樽組付体であって、
本体部分及びネック部分を有するライナーと、
前記ライナーの前記ネック部分にある弁組付体であって、ポート及びピストンを互いに向かい合うように付勢する内側ばねを捕捉する保持具を含む弁組付体と
を含むビア樽組付体。
【請求項２】
前記弁組付体と前記ライナーの前記ネック部分との接続部をさらに含み、
前記内側ばねは、前記弁組付体と前記ネック部分との前記接続部に力を及ぼすことがない請求項１のビア樽組付体。
【請求項３】
前記弁組付体と前記ネック部分との前記接続部はねじ留め接続部である請求項２のビア樽組付体。
【請求項４】
前記保持具は、直径が低減された一部分に形成された内側環状面を有する内側保持具部分を含み、
前記内側ばねからの力が前記ポート及び前記ピストンを介して前記一部分を支承する請求項１のビア樽組付体。
【請求項５】
前記保持具は、前記内側保持具部分の下側端に固定されたキャップを含み、
前記内側ばねからの力は前記キャップを支承し、
前記内側ばねからの力は、前記キャップと前記内側保持具部分の前記内側環状面との間に捕捉される請求項４のビア樽組付体。
【請求項６】
前記内側ばねを支承する弁体を付勢する外側ばねをさらに含み、
前記外側ばねは前記保持具中に捕捉され、
前記外側ばねは、前記弁組付体と前記ライナーの前記ネック部分との接続部に力を及ぼすことがない請求項１のビア樽組付体。
【請求項７】
前記保持具は、内側保持具部分に固定された外側保持具をさらに含み、
前記外側保持具は前記ネック部分の外側面に固定される請求項１のビア樽組付体。
【請求項８】
前記保持具の壁を通るように導かれる流路内に配置された圧力逃がし弁をさらに含む請求項１のビア樽組付体。
【請求項９】
前記保持具は、直径が低減された一部分に形成された内側環状面を有する内側保持具部分を含み、
前記内側ばねからの上向きの力が前記ポート及び前記ピストンを介して前記一部分を支承し、
前記圧力逃がし弁の前記流路は、前記内側環状面の下方において前記内側保持具部分を通って延びる請求項８のビア樽組付体。
【請求項１０】
ビア樽組付体であって、
本体部分及びネック部分を有するライナーと、
前記ライナーの前記ネック部分にある弁組付体であって、前記ネック部分を当接密封する環状壁と、前記環状壁を通って延びる流路と、前記流路にある圧力逃がし弁とを有する保持具を含む弁組付体と
を含むビア樽組付体。
【請求項１１】
前記圧力逃がし弁は、前記保持具の前記環状壁の中に固定される請求項１０のビア樽組付体。
【請求項１２】
前記保持具は、前記環状壁を含む内側保持具部分を含み、
前記保持具は、前記内側保持具部分に固定されかつ前記ネック部分に固定された外側保持具部分をさらに含む請求項１１のビア樽組付体。
【請求項１３】
前記流路は、前記内側保持具部分及び前記外側保持具部分を通って延びる請求項１２のビア樽組付体。
【請求項１４】
前記内側保持具部分は、直径が低減された一部分に形成された内側環状面を有し、
内側ばねからの上向きの力がポート及びピストンを介して前記一部分を支承し、
前記圧力逃がし弁の前記流路は、前記内側環状面の下方において前記内側保持具部分を通って延びる請求項１３のビア樽組付体。
【請求項１５】
外側容器をさらに含み、
前記ライナーは前記外側容器の中に受容され、
蓋が前記外側容器に固定されかつ開口を有し、
前記弁組付体の一部分が前記蓋の前記開口を通って延び、
前記ビア樽組付体は、前記外側保持具部分に固定されたロックリングをさらに含み、
前記蓋は前記ロックリングと前記ライナーとの間に存在する請求項１４のビア樽組付体。
【請求項１６】
ビア樽組付体であって、
本体部分及びネック部分を有するライナーと、
前記ライナーの前記ネック部分の中にある弁組付体であって、直径が低減された一部分に形成された内側環状面と、前記内側保持具部分に固定されたキャップと、前記キャップと前記内側環状面との間に力を及ぼす少なくとも一つのばねとを有する内側保持具部分を含む弁組付体と
を含むビア樽組付体。
【請求項１７】
前記少なくとも一つのばねは、ピストン及びポートを互いに当接し合うように付勢する内側ばねを含む請求項１６のビア樽組付体。
【請求項１８】
前記少なくとも一つのばねは外側ばねをさらに含み、
前記内側ばね及び前記外側ばねは双方とも、前記内側環状面と前記キャップとの間に捕捉される請求項１７のビア樽組付体。
【請求項１９】
前記内側保持具部分の壁を通るように導かれる流路の中に配置された圧力逃がし弁をさらに含む請求項１６のビア樽組付体。
【発明の詳細な説明】
【技術分野】
【０００１】
本発明はプラスチック製ビア樽に関する。
【背景技術】
【０００２】
周知のプラスチック製ビア樽は、開口が貫通する蓋を有する外側容器を含む。ライナー又はボトルが、本体部分及びネック部分を含む。ネック部分は、蓋を貫通する開口に隣接する。弁組付体が、ライナーのネック部分の中に受容される。弁組付体は、ライナーのネック部分上の外部ねじに固定される。
【先行技術文献】
【特許文献】
【０００３】
【特許文献１】米国特許出願公開第２０１３／０１８０６１７（Ａ１）号明細書
【発明の概要】
【０００４】
ビア樽組付体が、本体部分及びネック部分を有するライナー又はボトルを含む。弁組付体が、ライナーのネック部分の中に存在する。弁組付体は、直径が低減された一部分に形成された内側環状面を有する内側保持具部分を含む。キャップが、内側保持具部分に固定される。少なくとも一つのばねが、キャップと内側環状面との間に力を及ぼす。少なくとも一つのばねは、ピストン及びポートを互いに当接し合うように付勢する内側ばねを含む。少なくとも一つのばねはさらに、外側ばねを含む。内側ばね及び外側ばねの双方が、内側環状面とキャップとの間に捕捉される。圧力逃がし弁が、内側保持具部分の壁を通るように導かれる流路の中に配置される。
【図面の簡単な説明】
【０００５】
【図１】一実施形態に係るビア樽組付体の断面図である。
【図２】図１の弁組付体の分解斜視図である。
【図３】図２の内側及び外側保持具の分解斜視図である。
【図４】図２の内側及び外側保持具並びにキャップの分解斜視図である。
【図５】組み付けられた図１の弁組付体の断面図である。
【図６】組み付けられた図７の内側及び外側保持具並びにキャップの、一部分が破断された斜視図である。
【発明を実施するための形態】
【０００６】
図１は、外側容器１２を含むプラスチック製ビア樽１０を示す。外側容器１２は、ＰＥＴボトルのような内側ライナー１４を取り囲む。ライナー１４を外側容器１２の内部に保持するべく蓋１６が、外側容器１２の開放端を覆うように固定される。弁組付体１８が、その外側保持具２０によってライナー１４の口の中に保持される。外側保持具２０は、弁組付体１８の一部分であり、かつ、蓋１６の開口を通って突出する。弁組付体１８は、後続する図面に詳細に示される。
【０００７】
この場合はロックリング２２である締結具が、外側保持具２０を蓋１６に固定するべく、外側保持具２０に固定される。この例では、ロックリング２２は、外側保持具２０が蓋１６の開口を通って下方へと動くことがないように、外側保持具２０にねじ込まれる。
【０００８】
外側容器１２は、テーパ付き円筒状外側壁２４を含む。その上側端には、蓋１６がスナップ嵌め又はねじ込められる。蓋１６はリップ３０を含む。リップ３０は、一般に水平な環状リム部３１から下方に延びる。環状リム部分３１は、蓋１６の周囲まわりにかつ外側容器１２の外側壁２４の上側縁を覆うように延びる。蓋１６はさらに下側環状壁３２を含む。下側環状壁３２は、外側容器１２の上側縁より下方に離間し、かつ、錐台壁３４を介して蓋１６の外側周囲に接続される。
【０００９】
ライナー１４は、本体部分４２及びネック４６を有するＰＥＴボトル又は他の適切な材料である。ネック４６には図示のようにねじ山がつけられる。ネックリング４８（六角形又は他の非円形状が好ましいが決定的というわけではない）が、ネック４６まわりに一体成形される。
【００１０】
弁組付体１８の外側保持具２０は、ライナー１４のネック４６に（例えばねじ留めにより）固定可能である。その結果、弁組付体１８がネック４６内に保持される。半可撓性チューブ１９が、弁組付体１８からライナー１４の中へと下方に延びる。外側容器１２、蓋１６及び外側保持具２０はそれぞれ別個に、ＨＤＰＥ、ポリプロピレン又は他の適切な材料から成形される。
【００１１】
弁組付体１８の分解図が図２に示される。保持具キャップ５４が、複数のスナップ嵌め用フィンガ５５を有する。保持具キャップ５４の中に受容された弁体５６が、チューブ１９に接続され、かつ、外側ばね５８によって保持具キャップ５４から離れるように付勢される。ポート６０が、弁体５６の中に受容され、かつ、内側ばね６２によって弁体５６から離れてピストン６４へと向かうように付勢される。ピストン６４は、一般に環状であり、かつ、アパチャが貫通する。ポート６０は、凸状上側面を有するヘッド部分５９と、ヘッド部分５９下方の細長いステム部分６１とを含む。ヘッド部分５９は、ピストン６４に密封当接することにより、ピストン６４を通るアパチャを選択的に閉止する。ピストン６４は、内側保持具２６の中に受容される。内側保持具２６は環状壁を有し、その中に残りの部材が少なくとも部分的に受容される。外側保持具２０は、（ロックリング２２（図１）への接続用の）外部ねじ山を有する環状壁を含む。圧力逃がし弁組付体２８が、内側保持具２６の環状壁の中に径方向に挿入可能となる。Ｏリング７０が内側保持具２６に設けられる。
【００１２】
内側保持具２６及び保持具キャップ５４はＰＯＭ（ポリオキシメチレン）から形成される。このＰＯＭは、（外側ばね５８を包含するための）良好なクリープ抵抗及び剛性を有し、かつ、食品（この場合はビール）との接触に対して高い格付けがされる。外側保持具２０は、ガラス充填ナイロンのような高強度の耐久性に優れた材料から形成される。外側保持具２０はビールと接触しないからである。外側保持具２０は、ビア樽１０の強度及び耐久性にとって重要である。外側保持具２０は、弁組付体１８をライナー１４のネックに接続し、かつ、蓋１６をライナー１４とロックリング２２との間に留めるロックリング２２に接続されるからである。
【００１３】
図３は、図２の上側部分の拡大図である。圧力逃がし弁組付体２８は、アパチャが貫通するキャップ３６（ＰＯＭであり得る）、ばね３７（ステンレス鋼であり得る）、及びピストン３８（ＰＯＭであり得る）を含む。ピストン３８は、密封面３９及びＯリング４０（ＥＰＤＭであり得る）を有する。圧力逃がし弁組付体２８は、内側保持具２６の環状壁を通る径方向ボア４１の中に受容されるように構成される。使用時において、ライナー１４内の圧力が所定圧力（例えば約６５〜７０ｐｓｉ（４．４８〜４．８３バール））を一度でも超えると、ピストン３８への外方の力がばね３７に打ち勝つ。ピストン３８は、当接密封する内側保持具２６の密封面から離れるように動くので、ライナー１４内の圧力がしきい圧力未満に下降するまで流体がライナー１４から出ることを許容する。逃がされた流体は、ピストン３８の密封面３９とＯリング４０との間を、（径方向ボア４１よりも小さな直径の）ピストン３８に沿ってかつキャップ３６のアパチャを通って流れる。これにより、潜在的な過剰圧力状態を、樽１０に損傷を引き起こすほど十分には高くならないようにすることができる。樽１０が直立位置にありかつ充填されている（又は温度がまさに上昇している）場合、ビア樽１０から圧力逃がし弁組付体２８を通って逃げる流体は、大部分がＣＯ２となるはずである。圧力逃がし弁組付体２８は樽１０の頂部に存在するからである。圧力が十分に低減された後、ばね３７は再び、ピストン３８がＯリング４０に当接密封するように強制する。
【００１４】
外側保持具２０は、例えばねじ留め又はスナップ嵌め接続により、内側保持具２６に固定可能である。図示のように、圧力逃がし弁組付体２８は、内側保持具２６の環状壁を通る径方向ボア４１の中に受容可能である。
【００１５】
図４は、外側保持具２０、内側保持具２６及び保持具キャップ５４を含む保持具組付体の分解図である。保持具キャップ５４は、複数のスナップ嵌めフィンガ５５を有する。スナップ嵌めフィンガ５５は、保持具キャップ５４を内側保持具２６に固定するべく、内側保持具２６の環状壁を通る開口６６と相補的である。外側保持具２０はアパチャ６８を含む。アパチャ６８は、内側保持具組付体２６及び圧力逃がし弁組付体２８（図３）において径方向ボア４１に整列するべく構成される。径方向ボア４１とアパチャ６８とは、ライナー１４の本体から樽１０の外部（大気）への流路を設けるべく整列する。
【００１６】
図５は、ライナー１４に搭載された（すなわち蓋１６又はロックリング２２がない）、組み付けられた弁組付体１８の断面図である。外側保持具２０は、内側保持具２６に接続され、かつ、双方間の環状ギャップを当該組付体の下側部分に残す。ライナー１４のネック４６の少なくとも一部分が、当該環状ギャップの中に受容され、かつ、ねじ、スナップ嵌め等によりネック４６に固定される。Ｏリング７０は、内側保持具２６とネック４６との間にネック４６の内面上で密封をもたらす。これにより、保持具組付体がネック４６に取り付けられるときのＯリング７０への損傷が防止される。Ｏリング７０に加え又はＯリング７０の代わりに、他のＯリング（図示せず）を、Ｏリング７０上方の環状凹部に配置することもできる。径方向ボア４１及びアパチャ６８は双方とも、ライナー１４のネック４６よりも上方に存在する。径方向ボア４１を通る流路は、ピストン６４が内側保持具２６の環状面と当接密封する箇所の直下に存在する。圧力逃がし弁組付体２８は、内側保持具２６の径方向ボア４１の中に示される。キャップ３６の一部分が、外側保持具２０を通るアパチャ６８の中に受容される。内側保持具２６が外側保持具２０の中に滑り込まされると、キャップ３６は、外側保持具２０の環状壁の内側面に形成された軸方向溝７１を通るように摺動し、当該下側縁からアパチャ６８へと延びる。
【００１７】
図５に見えるように、圧縮されたばね５８の力は、保持具キャップ５４と内側保持具２６との間に完全に閉じ込められる。こうして、保持具キャップ５４及び内側保持具２６は、ＰＯＭのような、クリープに抵抗する寸法安定性に優れた材料から作られる。この材料は、食品（ビール）に直接接触するのに適切でもある。これは、ばね５８の力が、外側保持具２０とライナー１４のネック４６との接続部を支承しないことを意味する。さらに、外側保持具２０は、ガラス充填ナイロンのような耐久性に優れた材料から作ることができるので、ロックリング２２に対する強固かつ耐久性に優れた接続部が設けられる（ただし、ビールに直接接触するわけではない）。ばね５８は直接的には、保持具キャップ５４と弁体５６との間に存在し、弁体５６を、保持具組付体の中でピストン６４に当接するように上向きに付勢する。ピストン５４は、内側保持具２６を通る圧力逃がしボア４１の上方において、内側保持具２６の、内側直径が低減された一部分に形成された内側環状面７２を支承する。内側ばね６２は、弁体５６とポート６０との間に捕捉され、ポート６０を、ピストン６４に当接するように上向きに付勢する。すなわち、ばね５８、６２は双方とも弁組付体１８の中に捕捉されるので、ばね５８、６２の力が、弁組付体１８とライナー１４との接続部を支承することはない。
【００１８】
図６は、内側保持具２６の径方向ボア４１の中に搭載された圧力逃がし弁組付体２８と一緒に組み付けられた外側保持具２０、内側保持具２６及び保持具キャップ５４の破断斜視図である。
【００１９】
特許法令及び法律学の規定によれば、上述の例示的な構成は、本発明の好適な実施形態を表すとみなされる。しかしながら、本発明を、その要旨又は範囲から逸脱することなく、具体的に例示かつ記載されたもの以外の方法で実施できることに留意すべきである。
【図１】
2016008089.tif 000003
【図２】
2016008089.tif 000004
【図３】
2016008089.tif 000005
【図４】
2016008089.tif 000006
【図５】
2016008089.tif 000007
【図６】
2016008089.tif 000008
【外国語明細書】
2016008089.tif 000009
2016008089.tif 000010
2016008089.tif 000011
2016008089.tif 000012
2016008089.tif 000013
2016008089.tif 000014
2016008089.tif 000015
2016008089.tif 000016
2016008089.tif 000017
2016008089.tif 000018
2016008089.tif 000019
2016008089.tif 000020
2016008089.tif 000021
2016008089.tif 000022
2016008089.tif 000023
2016008089.tif 000024
2016008089.tif 000025